(57)【要約】【課題】  使用に際し、フロント業務の煩雑化を無くすと共に、所望のロッカーのフリーチョイスを可能としたリストバンドタイプのキーインタグホルダーを提供する。【解決手段】  ＩＤタグＰを収納可能とし且つキーＱを挿脱可能に構成して成る手首に装着可能なキーインタグホルダー本体１を、硬質な合成樹脂製材等の剛性部材によって一体形成すると共に、キーＱのカバーした把持基部７側をパッチン止めによって嵌合固定する開口部１２と、該開口部１２に連通する状態で形成し且つキーＱ先端を若干斜めに挿入して背面側からキーＱ先端を突出可能とする開口部１４を有するキーＱ先端挿入用の挿入部１３と、該挿入部１３と沿って形成され且つ押さえ具１６によって閉塞可能にされたＩＤタグＰ収納用の収納孔部１５とを備えて構成する。【選択図】          図１
2005315005.tif 000002
【特許請求の範囲】
【請求項１】
ＩＤタグを収納可能とし且つキーを挿脱可能に構成して成る手首に装着可能なキーインタグホルダーであって、キーインタグホルダー本体は、キーのカバーされた把持基部側をパッチン止めによって嵌合固定させる開口部と、該開口部に連通する状態で形成され且つキー先端を若干斜めに挿入して背面側からキー先端を突出可能とさせる開口部を有するキー先端挿入用の挿入部と、押さえ具によって閉塞可能にしたＩＤタグ収納用の収納孔部とを備えて成ることを特徴とするキーインタグホルダー。
【請求項２】
キーインタグホルダー本体は、硬質な合成樹脂製材等の剛性部材によって一体形成されている請求項１記載のキーインタグホルダー。
【発明の詳細な説明】
【技術分野】
【０００１】
本発明は、例えばロッカーキー等のキーと、当該キーの使用者に係るデータが記録されたＩＤタグを収容可能にし、例えば日帰り温泉施設、ヘルスセンター、スポーツセンター等の不特定多数の者が利用する施設への利用者の入退館を管理する際に、施設利用者の利用状況を把握し、確実に精算処理を行うことのできるように構成されたリストバンドタイプのキーインタグホルダーに関する。
【背景技術】
【０００２】
従来、この種のキーインタグホルダーとしては、特許文献１に開示されているようなデータキャリア用リストバンドが存在する。すなわち、これは、データの入出力可能なコイン型のＩＤタグによるデータキャリアを位置決めされた状態に収容するデータキャリア収納部と、キーの固定部とが一体的に設けられ、このキー固定部を介してキーを回転させながら収納可能とした環状になり得る帯状を成したエチレン酢酸ビニル共重合体製の帯状バンドを備えたものである。
【０００３】
また、従来における他のキーインタグホルダーとしては、特許文献２に開示されているように、可撓性の帯状バンドと一体に形成され、帯状バンドの短手方向の一方にデータキャリアの直径より小さな開口幅の挿入口を有するデータキャリア収納部を備え、挿入口とは反対側にはデータキャリア押し出し用の穴を有し、挿入口の近傍にはデータキャリアの脱落を防止する突起部を有し、前記データキャリア収納部と重なった状態でキー収納部を一体形成して成るデータキャリア用リストバンドが存在する。
【特許文献１】特開平１１−１８８１０号公報
【特許文献２】特許２００４−１６３０３号公報
【発明の開示】
【発明が解決しようとする課題】
【０００４】
しかしながら、従来におけるデータキャリア用リストバンドにあっては、キーを旋回させてキー収納部内に収納できるよう、キー収納部に対してキー自体がキー固定具でもって回転可能に枢着一体化されているため、キーを使用するときにはいったん手首から帯状バンドを取り外さなければならないものであり取り扱い上、非常に面倒であった。
【０００５】
また、データキャリア収納部自体は、帯状バンド、キー収納部それぞれと一体の可撓性を有しており、キーの旋回によってキー収納部に収納することで、キー自体によってデータキャリア収納部が補強される構成となっているため、キー収納部からキーを引き出した状態でデータキャリア収納部に曲げ応力が働いた場合には容易に湾曲してしまい、データキャリアの破損を免れないものとなる。
【０００６】
さらに、従来のようなコイン型のＩＤタグによるデータキャリアでは、キーとデータキャリアとは上下に重合保持されるため、厚みが生じ、使用感が良くない等の諸々の問題点を有していた。
【０００７】
そこで、本発明は、叙上のような従来存した諸事情に鑑み創出されたもので、バンドによって手首に装着されているキーインタグホルダー本体からキーを離脱可能にすることで、キーインタグホルダー自体を手首から取り外さなくてもキーのみを容易に取り外して使用することができ、しかも、キーインタグホルダー自体を使用感の良い薄手の剛性部材によって形成することで、キーを取り外した状態であってもキーインタグホルダーのＩＤタグ収納部内に収納されているＩＤタグの外力による破損を防止可能としたリストバンドタイプのキーインタグホルダーを提供することを目的とする。
【課題を解決するための手段】
【０００８】
上述した課題を解決するため、本発明にあっては、ＩＤタグを収納可能とし且つキーを挿脱可能に構成して成る手首に装着可能なリストバンドタイプのキーインタグホルダーであって、キーインタグホルダー本体は、キーのカバーされた把持基部側をパッチン止めによって嵌合固定させる開口部と、該開口部に連通する状態で形成され且つキー先端を若干斜めに挿入して背面側からキー先端を突出可能とさせる開口部を有するキー先端挿入用の挿入部と、押さえ具によって閉塞可能にしたＩＤタグ収納用の収納孔部とを備えて成ることを特徴とする。
【０００９】
また、キーインタグホルダー本体は、硬質な合成樹脂製材等の剛性部材によって一体形成されているものとすることができる。
【００１０】
以上のように構成された本発明に係るキーインタグホルダーにあっては、キーの取り付けに際し、キー先端を若干斜めにしてキーインタグホルダー本体の挿入部に挿入し、挿入部背面側の開口側からいったんキー先端を突出させ、その後、開口部にカバーを押し込んでパッチン止めすることによって開口部にカバーが嵌合固定される。
【００１１】
一方、キーインタグホルダー本体からキーを抜き出す場合には、開口部の後側からカバーを押し出してキー先端を若干斜めにした状態にしてからキー先端側を上方へ引き出させる。
【００１２】
さらに、キーインタグホルダー本体は、その一側内部に設けられた収納孔部内にＩＤタグを収納後、押さえ具を嵌め込むことによって閉塞されるものとなっている。
【発明の効果】
【００１３】
本発明によれば、バンドによって手首に装着されているキーインタグホルダー本体からキーを離脱可能にすることで、キーインタグホルダー自体を手首から取り外さなくてもキーのみを容易に取り外して使用することができ、しかも、キーインタグホルダー自体を使用感の良い薄手の剛性部材によって形成することで、キーを取り外した状態であってもキーインタグホルダーの収納部内に収納されているＩＤタグの外力による破損を防止可能とすることができる。また、使用に際し、フロント業務の煩雑化を無くすと共に、所望のロッカーのフリーチョイスを可能とする。
【発明を実施するための最良の形態】
【００１４】
以下、図面を参照して本発明を実施するための最良の一形態を説明すると、図において示される符号１は、棒状のＩＤタグＰを収納可能とし且つキーＱを挿脱可能に構成して成るキーインタグホルダー本体であって、図１に示すように、例えばＰＣ等の硬質な合成樹脂製材によって、横幅約２６ｍｍ、縦幅約５７ｍｍ、厚さ約６ｍｍ程度の略矩形板状に形成されており、その左右両端側にはスプリングピン６を介して左右一対の可撓性の帯状バンド２Ａ、２Ｂがそれぞれ取り付けられている。
【００１５】
一方の帯状バンド２Ａには、遊環３と矩形環状のストッパー枠部４が取り付けられ、手首に巻装された際に、他方の帯状バンド２Ｂの片面に等間隔毎に隣接配置された複数の係止突部５のいずれか一つがストッパー枠部４の挿入口に挿入係止されることで手首にしっかりと巻付固定されるようにしてある。
【００１６】
また、図４に示すように、キーＱの例えば矩形板状の把持基部７を、例えばＰＣ等の硬質な合成樹脂製材によって形成された帯板袋状のカバー８で被覆装着させ、互いに連通合致させた把持基部７の孔とカバー８の孔とに波形スプリングピン９を嵌挿して保持固定してある。このときカバー８の上端縁部は矩形状に開放されており、ここに把持基部７の上端縁部が内側位置まで嵌り込むことによって陥嵌部１０が形成されると共に、後述する開口部１２の上縁内側に形成されている突起部１１をこの陥嵌部１０に係合させる所謂パッチン止め構造によって、キーインタグホルダー本体１の開口部１２にキーＱのカバー８側を嵌合固定させるようにしてある。尚、カバー８の表面には例えばロッカー番号等が表示されている。
【００１７】
図２に示すように、キーインタグホルダー本体１の上側約半部の箇所には、キーＱのカバー８側を嵌合固定させるための略矩形状の既述開口部１２が形成され、また下側約半部の箇所には、この開口部１２に連通する状態でキーＱ先端挿入用の挿入部１３が形成されている。この挿入部１３は、図４、図６乃至図８に示すように、この前側上端部がＵ字型突枠状となって開放されたキー挿入口１３Ａとなっており、キー挿入口１３Ａの内側から下方に向けて垂直にキーＱの先端の挿入できるようになっている。そして、キー挿入口１３Ａよりも下側に位置する挿入部１３の背面側は、縦長矩形状に開放されたキーＱ先端突出用の開口部１４が連設されている。すなわち、この挿入部１３における前側のキー挿入口１３Ａに相対向する挿入部１３の背面側のみが閉塞されているものとしてある。
【００１８】
これによって、キーＱ先端を若干斜めにしてキーインタグホルダー本体１の挿入部１３に挿入した際に、挿入部１３の背面側の開口部１４側からいったんはキーＱ先端が突出され、その後、キーインタグホルダー本体１の開口部１２にキーＱのカバー８側を押し込んでパッチン止めすることによって開口部１２にカバー８がしっかりと嵌合固定されるようにしてある。
【００１９】
また、キーインタグホルダー本体１からキーＱを抜き出す場合には、開口部１２の後側からカバー８側を押し出してキーＱ先端を若干斜めにした状態にしてからキーＱ先端側を上方へ引き出せるようにしてある。こうしてキーインタグホルダー本体１に対してキーＱをワンタッチで取り付けたり抜き出したりできるようにしてある。
【００２０】
図２、図３、図５に示すように、キーインタグホルダー本体１には、挿入部１３と平行となるようにその一側内部に縦長の収納孔部１５が設けらており、この中に棒状のＩＤタグＰを収納した後、例えば前後対称面位置に楔状の係止爪１６Ａを有する矩形ブロック状の押さえ具１６を嵌め込み、収納孔部１５位置の前後に形成されている係止孔１７に前記係止爪１６Ａを嵌合させることによって収納孔部１５が隙間無く閉蓋されるようにしてある。
【００２１】
このようにＩＤタグＰは棒状のためキーインタグホルダー本体１のスペースが少なくても良いものとしてある。このＩＤタグＰには利用者のＩＤ番号、利用情報が記憶されるもので、退館時にはキーインタグホルダー本体１をフロントに提示し、精算処理されるものとしてある。
【００２２】
尚、他の実施の形態として、ＩＤタグＰの代わりにバーコードをキーインタグホルダー本体１に貼り付けることもできる。また、可撓性の帯状バンド２Ａ、２Ｂを使用する代わりに、螺旋状にカールして成る伸縮ベルト２Ｃ（図１２に示す）を使用しても良い。
【００２３】
次に、上記した構成によるキーインタグホルダー本体１の使用方法について説明する。
先ず、利用者はフロントで受付を行い、キーインタグホルダー本体１を受け取る。それから、ロッカーへ出向き、選択したロッカー内に持ち物を収納、ロッカーの施錠機構に保持されているキーＱによって施錠後、キーインタグホルダー本体１に対して当該キーＱをワンタッチで取り付ける。このときキーＱの把持基部７にはカバー８が被覆嵌合されている。
【００２４】
キーＱの取り付けに際し、図６乃至図８に示すように、キーＱ先端を若干斜めにしてキーインタグホルダー本体１の挿入部１３に挿入し、挿入部１３の背面側の開口部１４側からいったんキーＱ先端を突出させ、その後、キーインタグホルダー本体１の開口部１２にキーＱのカバー８側を押し込んでパッチン止めすることによって開口部１２にカバー８側をしっかりと嵌合固定させる。一方、キーインタグホルダー本体１からキーＱを抜き出す場合には、開口部１２の後側からカバー８側を押し出してキーＱ先端を若干斜めにした状態にしてからキーＱ先端側を挿入部１３より上方へ引き出せば良い。
【００２５】
ところで、キーＱを挿入したキーインタグホルダー本体１を手首に装着するには、キーインタグホルダー本体１の背面を手首側に向けるのが良い。すなわち、図６乃至図８に示したように、キーインホルダー本体１の開口部１４を手首側に向けて装着してもパッチン止めの効果によりキーＱの抜けを一応防ぐことができるが、キーインホルダー本体１の挿入部１３を手首側に向けて装着するとキーＱの抜けを確実に防ぐことができると共に、キー挿入口１３Ａの突枠が手首に当たらないため使用感も良いものである。
【００２６】
また、図５等に示すように、キーインタグホルダー本体１には、その一側内部に設けられた収納孔部１５内に、利用者のＩＤ番号、利用情報等が記憶されているＩＤタグＰを収納後、押え具１６を嵌め込むことによって密閉状態で固定する。したがって、キーインタグホルダー本体１の外側が多少損傷しても内部のＩＤタグＰの性能に悪影響を及ぼすことはないものである。退館時には、ロッカーへ出向き、キーＱによってロッカーの開錠、自己の持ち物を取り出した後、キーＱはそのままロッカーの施錠機構に保持させてキーインタグホルダー本体１のみをフロントに提示し、精算処理するものである。
【００２７】
図９乃至図１１は、他の実施形態のキーインタグホルダー本体１Ａを示すもので、その上側約半部の箇所には、第１実施形態同様キーＱのカバー８側を嵌合固定させるための略矩形状の開口部１２Ａが形成され、また下側約半部の箇所には、この開口部１２Ａに連通する状態でキーＱ先端挿入用の挿入部１３が形成されている。
【００２８】
この挿入部１３は、後側上端部が略矩形状に切り欠かれたキー挿入口１３Ａとなっており、キー挿入口１３Ａの内側から下方に向けて垂直にキーＱの先端が挿入できるようになっている。そして、キー挿入口１３Ａよりも下側に位置する挿入口部１３の正面側には、縦長矩形状に開放されたキーＱ先端突出用の開口部１４Ａが連設されている。
【００２９】
これによって、キーＱ先端を若干斜めにしてキーインタグホルダー本体１Ａの挿入部１３に挿入した際に、挿入部１３の正面側の開口部１４Ａ側からいったんはキーＱ先端が突出され、その後、キーインタグホルダー本体１の開口部１２ＡにキーＱのカバー８側を押し込んでパッチン止めすることによって開口部１２Ａにカバー８がしっかりと嵌合されるようにしてある。
【００３０】
また、キーインタグホルダー本体１ＡからキーＱを抜き出す場合には、開口部１２Ａの表側からカバー８側を押し出してキーＱ先端を若干斜めにした状態にしてからキーＱ先端側を上方へ引き出せるようにしてある。
【００３１】
ところで、キーＱを挿入したキーインタグホルダー本体１Ａを手首に装着するには、キーインタグホルダー本体１Ａの背面を手首側に向けるのが良い。すなわち、図９乃至図１１に示したように、キーインタグホルダー本体１Ａの挿入部１３を手首側に向けて装着するとキーＱの抜けを確実に防ぐことができると共に、第１実施形態のように突枠がないため使用感も良いものである。
【図面の簡単な説明】
【００３２】
【図１】本発明を実施するための最良の形態を示すもので、（ａ）は正面図、（ｂ）は底面図、（ｃ）は背面図である。
【図２】同じくキー付きキーインタグホルダー本体の拡大正面図である。
【図３】図２におけるＡ−Ａ断面図である。
【図４】図２におけるＢ−Ｂ断面図である。
【図５】図２におけるＣ−Ｃ断面図である。
【図６】使用状態を示すキーとＩＤタグの装着前の斜視図である。
【図７】使用状態を示すキー装着状態の斜視図である。
【図８】使用状態を示すキーとＩＤタグの装着後の斜視図である。
【図９】キー付きキーインタグホルダー本体の他の実施形態を示す拡大正面図である。
【図１０】図９におけるＤ−Ｄ断面図である。
【図１１】図９におけるＥ−Ｅ断面図である。
【図１２】図９に示すキーインタグホルダー本体に伸縮ベルトを取り付けた状態を示す平面図である。
【符号の説明】
【００３３】
Ｐ            ＩＤタグ
Ｑ            キー
１、１Ａ      キーインタグホルダー本体
２Ａ、２Ｂ    帯状バンド
２Ｃ          伸縮ベルト
３            遊環
４            ストッパー枠部
５            係止突部
６            スプリングピン
７            把持基部
８            カバー
９            波形スプリングピン
１０          陥嵌部
１１          突起部
１２、１２Ａ  開口部
１３          挿入部
１３Ａ        キー挿入口
１４、１４Ａ  開口部
１５          収納孔部
１６          押え具
１６Ａ        係止爪
１７          係止孔
【図１】
2005315005.tif 000003
【図２】
2005315005.tif 000004
【図３】
2005315005.tif 000005
【図４】
2005315005.tif 000006
【図５】
2005315005.tif 000007
【図６】
2005315005.tif 000008
【図７】
2005315005.tif 000009
【図８】
2005315005.tif 000010
【図９】
2005315005.tif 000011
【図１０】
2005315005.tif 000012
【図１１】
2005315005.tif 000013
【図１２】
2005315005.tif 000014